(57)【要約】【課題】天井面に設置された状態において効率的に放熱が行なえるとともに、鳥類の侵入を防止することで糞害の発生が未然に防止できる照明装置を提供する。【解決手段】照明装置１は、設置状態において天井面から下方に離れた位置に配置される光源ユニットと、光源ユニットを天井面に固定するための固定部とを備える。光源ユニットは、放熱フィン２０を含み、固定部は、設置状態において天井面に沿うように配置される取付部材６０Ａ，６０Ｂと、取付部材６０Ａ，６０Ｂと光源ユニットとを連結する連結部１１ｂ，１２ｂとを有する。連結部１１ｂ，１２ｂは、設置状態において光源ユニットと天井面との間に形成される空間を外部に対して開放する開放部を規定する。放熱フィン２０は、当該空間に面するように光源ユニットの上面に配置される。連結部１１ｂ，１２ｂには、開放部に跨るように架設部材９５が架設される。【選択図】図１
2014078329.tif 000002
【特許請求の範囲】
【請求項１】
天井面に設置される照明装置であって、
光源を含み、設置状態において天井面から下方に離れた位置に配置される光源ユニットと、
前記光源ユニットを天井面に固定するための固定部とを備え、
前記光源ユニットは、前記光源の点灯時において生じる熱を放熱するための放熱部を含み、
前記固定部は、設置状態において天井面に沿うように配置される取付部と、前記取付部と前記光源ユニットとを連結する連結部とを有し、
前記連結部は、設置状態において前記光源ユニットと天井面との間に形成される空間を外部に対して開放する開放部を規定し、
前記放熱部は、前記空間に面することとなるように前記光源ユニットの上面に配置され、
前記開放部に跨るように架設された架設部材をさらに備える、照明装置。
【請求項２】
前記架設部材は、線状部材であり、
前記線状部材は、前記光源ユニットの周側面に沿って架設される、請求項１に記載の照明装置。
【請求項３】
前記架設部材は、線状部材であり、
前記線状部材は、その延伸方向の少なくとも一部に変形を許容する変形許容部を含み、
前記変形許容部は、弾性体にて構成され、
前記弾性体に外力が負荷されることで前記線状部材が弾性変形可能に弛緩する、請求項１または２に記載の照明装置。
【請求項４】
前記架設部材は、線状部材であり、
前記線状部材は、その延伸方向の少なくとも一部に変形を許容する変形許容部を含み、
前記変形許容部は、温度によって形状が変化する形状記憶体にて構成され、
前記形状記憶体は、前記光源の点灯時において前記線状部材の延伸方向に沿って収縮し、前記光源の消灯時において前記線状部材の延伸方向に沿って膨張することで前記線状部材が弛緩する、請求項１または２に記載の照明装置。
【請求項５】
前記架設部材は、網状部材である、請求項１に記載の照明装置。
【発明の詳細な説明】
【技術分野】
【０００１】
本発明は、照明装置に関し、より特定的には、天井面に設置される照明装置に関する。
【背景技術】
【０００２】
近年、光源として発光ダイオード（ＬＥＤ：Light-Emitting Diode）を具備した照明装置が普及している。一般に、照明装置においては、光源にて生じる熱を外部に効率的に放熱することが重要である。特に、ＬＥＤを具備した照明装置にあっては、ＬＥＤの温度が一定温度以上の高温に達すると発光効率が大幅に低下するとともにＬＥＤ自体にも劣化が生じ、製品性能および製品寿命に悪影響を与えてしまうことが知られている。
【０００３】
このような傾向は、特に、出力の大きい高輝度ＬＥＤを具備する屋外照明装置において顕著にみられ、ＬＥＤ光源および光源駆動部から発生する熱を効率的に放熱させることが要求される。
【０００４】
放熱性が考慮された構成を有する屋外照明装置の一例として、特開２０１１−１５４７８５号公報（特許文献１）には、光源ユニットの外表面において外部に露出するように放熱フィンが設置された構成のものが開示されている。
【０００５】
当該特許文献１に開示の屋外照明装置は、もっぱら街路灯として使用されることが想定されたものであり、光源ユニットの周側面の所定位置から側方に向けて突設された取付軸を有し、当該取付軸を介して光源ユニットが支柱等によって支持されるように構成されている。
【先行技術文献】
【特許文献】
【０００６】
【特許文献１】特開２０１１−１５４７８５号公報
【発明の概要】
【発明が解決しようとする課題】
【０００７】
ところで、照明装置の設置形態としては、上記特許文献１に開示された如くの設置態様の他にも、室内の天井や室外の軒下といった天井面に対して光源ユニットが固定される設置態様がある。
【０００８】
天井面に設置される設置態様が採用された照明装置にあっては、光源ユニットの上面が天井面によって覆われることになるため、放熱部を光源ユニットの上面に露出して設けた場合にも、当該部分において熱がこもりやすくなってしまい、何ら対策を施していない場合には、放熱が十分に効率的に行なわれないことになり兼ねない。そのため、この種の照明装置にあっては、光源ユニットが天井面から距離をもって配置されるように構成することが好ましい。
【０００９】
しかしながら、光源ユニットが軒下等の屋外の天井面から離れた状態で設置される照明装置にあっては、光源ユニットと天井面との間に形成される空間に鳥類が飛来する可能性がある。
【００１０】
鳥類が照明装置に飛来した場合には、糞害により照明装置の外観が悪化することに加え、照明装置を構成する構成部材が糞によって腐食されてしまい、構成部材の耐久性が低下することで照明装置の製品寿命が短くなることが懸念される。したがって、この種の照明装置にあっては、上述した放熱性に加え、鳥類による糞害を回避するための防鳥性を考慮した構成とすることがさらに要求される。
【００１１】
本発明は、上記のような問題点に鑑みてなされたものであり、その目的は、天井面に設置された状態において効率的に放熱が行なえるとともに、鳥類の侵入を防止することで糞害の発生を未然に防止できる照明装置を提供することにある。
【課題を解決するための手段】
【００１２】
本発明に基づく照明装置は、天井面に設置されるものであって、光源を含み、設置状態において天井面から下方に離れた位置に配置される光源ユニットと、上記光源ユニットを天井面に固定するための固定部とを備える。上記光源ユニットは、上記光源の点灯時において生じる熱を放熱するための放熱部を含み、上記固定部は、設置状態において天井面に沿うように配置される取付部と、上記取付部と上記光源ユニットとを連結する連結部とを有する。上記連結部は、設置状態において上記光源ユニットと天井面との間に形成される空間を外部に対して開放する開放部を規定する。上記放熱部は、上記空間に面することとなるように上記光源ユニットの上面に配置される。上記本発明に基づく照明装置は、上記開放部に跨るように架設された架設部材をさらに備える。
【００１３】
上記本発明に基づく照明装置にあっては、上記架設部材が、線状部材であり、上記線状部材が、上記光源ユニットの周側面に沿って架設されることが好ましい。
【００１４】
上記本発明に基づく照明装置にあっては、上記架設部材が、線状部材であり、上記連結部が、上記線状部材を支持する板状の支持具を有し、上記支持具が、上記線状部材を固定するためのバーリングタップを有し、上記バーリングタップにネジが螺合することにより、当該ネジと前記支持具との間に前記線状部材が挟み込まれて固定されることが好ましい。
【００１５】
上記本発明に基づく照明装置にあっては、上記架設部材は、線状部材であり、上記線状部材は、その延伸方向の少なくとも一部に変形を許容する変形許容部を含み、上記変形許容部は、弾性体にて構成され、上記弾性体に外力が負荷されることで上記線状部材が弾性変形可能に弛緩することが好ましい。
【００１６】
上記本発明に基づく照明装置にあっては、上記架設部材は、線状部材であり、上記線状部材は、その延伸方向の少なくとも一部に変形を許容する変形許容部を含み、上記変形許容部は、温度によって形状が変化する形状記憶体にて構成され、上記形状記憶体は、上記光源の点灯時において上記線状部材の延伸方向に沿って収縮し、上記光源の消灯時において上記線状部材の延伸方向に沿って膨張することで上記線状部材が弛緩することが好ましい。
【００１７】
上記本発明に基づく照明装置にあっては、上記架設部材が、網状部材であることが好ましい。
【発明の効果】
【００１８】
本発明によれば、天井面に設置された状態において効率的に放熱が行なえるとともに、鳥類の侵入を防止することで糞害の発生が未然に防止できる照明装置を提供することができる。
【図面の簡単な説明】
【００１９】
【図１】本発明の実施の形態１における照明装置の斜視図である。
【図２】本発明の実施の形態１における照明装置の正面図である。
【図３】本発明の実施の形態１における照明装置の右側面図である。
【図４】本発明の実施の形態１における照明装置の底面図である。
【図５】本発明の実施の形態１における照明装置の一部分解斜視図である。
【図６】本発明の実施の形態１における照明装置の内部構造および設置状態を示す横断面図である。
【図７】本発明の実施の形態２における照明装置の正面図である。
【図８】本発明の実施の形態３における照明装置の正面図である。
【図９】本発明の実施の形態４における照明装置の正面図である。
【発明を実施するための形態】
【００２０】
以下、本発明の実施の形態について、図を参照して詳細に説明する。なお、以下に示す実施の形態においては、同一のまたは共通する部分について図中同一の符号を付し、その説明は繰り返さない。
【００２１】
（実施の形態１）
図１は、本発明の実施の形態１における照明装置の斜視図であり、図２ないし図４は、図１に示す照明装置の正面図、右側面図および底面図である。また、図５は、図１に示す照明装置の一部分解斜視図であり、図６は、図１に示す照明装置の内部構造および設置状態を示す、図１中におけるＶＩ−ＶＩ線に沿った横断面図である。まず、これら図１ないし図６を参照して、本実施の形態における照明装置１の構造およびその設置態様について説明する。
【００２２】
図１ないし図６に示すように、照明装置１は、ＬＥＤ３１（特に図４および図６参照）と、駆動部５０Ａ，５０Ｂ（特に図６参照）と、筺体１０と、放熱フィン２０と、取付部材６０Ａ，６０Ｂと、鳥類侵入防止手段９０とを主として備えている。照明装置１は、図示するように、全体として略直方体形状を有しているが、当該照明装置１が占める空間は、取付部材６０Ａ，６０Ｂおよび鳥類侵入防止手段９０が主として配置された上段部分７０と、筺体１０が主として配置された下段部分８０とに大別される（特に図６参照）。
【００２３】
筺体１０は、照明装置１の外殻を構成する部位であり、内部に各種構成部品が収容された空間を有している。ここで、筺体１０に収容された各種構成部品には、上述したＬＥＤ３１および駆動部５０Ａ，５０Ｂが主として含まれる。なお、筺体１０および筺体１０に収容された各種構成部品を総称して光源ユニットと称する。
【００２４】
筺体１０は、扁平な箱状の形状を有しており、設置状態において水平面内における直交二軸のうちの一方（すなわち前後方向）に合致することとなるＸ軸方向に対して直交して配置された前面および後面と、設置状態において水平面内における直交二軸のうちの他方（すなわち左右方向）に合致することとなるＹ軸方向に対して直交して配置された右側面および左側面と、設置状態において鉛直方向（すなわち上下方向）に合致することとなるＺ軸方向に対して直交して配置された上面および下面とを含んでいる。
【００２５】
筺体１０の上面には、Ｘ軸方向に沿って溝状に延びる凹部１９が設けられており、当該凹部１９は、Ｘ軸方向に沿った筺体１０の両端にまで達している。そのため、筺体１０の上面は、Ｚ軸方向において段差を有することになるが、当該段差を構成する凹部１９の内側面についても、ここでは筺体１０の上面の一部に含めることとする。これにより、筺体１０は、Ｙ軸方向に沿った中央部において高さ（すなわちＺ軸方向の長さ）が低い部位を有することになるとともに、Ｙ軸方向に沿った両側部において高さが高い部位を有することになる。
【００２６】
より具体的には、筺体１０は、前面を覆う前カバー１１の一部と、後面を覆う後カバー１２の一部と、左側面、右側面および下面の一部を覆う下カバー１３と、下面の残る部分を覆う透光カバー１６（特に図４および図６参照）と、上面を覆う右上カバー１４、左上カバー１５および放熱フィン２０とによって構成されている。なお、本実施の形態においては、下カバー１３が、複数の部材を組み合わせることで構成されており（特に図４および図５参照）、放熱フィン２０に関しては、そのうちの後述する基部２１（特に図１および図６参照）が、筺体１０の上面の一部を兼ねている。
【００２７】
筺体１０の前面は、前カバー１１のうちの上述した下段部分８０に対応する部分によって覆われている。前カバー１１は、平面視略Ｕ字状の形状を有する平板状の部材にて構成されており、上部の中央位置に切欠き部１１ａ（特に図１および図２参照）を有している。当該切欠き部１１ａは、上述した筺体１０の上面に設けられた凹部１９に対応した形状とされており、これにより当該凹部１９は、Ｘ軸方向に沿った前端において外部に対して開放されている。
【００２８】
筺体１０の後面は、後カバー１２のうちの上述した下段部分８０に対応する部分によって覆われている。後カバー１２は、平面視略Ｕ字状の形状を有する平板状の部材にて構成されており、上部の中央位置に切欠き部１２ａ（特に図１および図６参照）を有している。当該切欠き部１２ａは、上述した筺体１０の上面に設けられた凹部１９に対応した形状とされており、これにより当該凹部１９は、Ｘ軸方向に沿った後端において外部に対して開放されている。
【００２９】
筺体１０の右側面および左側面は、いずれも下カバー１３によって覆われている。すなわち、下カバー１３は、筺体１０の下面を覆う部分から立設された一対の側板部を有しており、当該側板部が、筺体１０の右側面および左側面を覆っている。
【００３０】
筺体１０の下面は、照明光が下方に向けて照射される照射面を含んでいる。筺体１０の下面の周縁部は、下カバー１３の上述した側板部を除く部分である底板部によって額縁状に覆われており、筺体１０の下面の上記周縁部を除く部分である中心部は、透光カバー１６によって覆われている。なお、当該透光カバー１６の露出面が、照明光を下方に向けて照射するための上述した照射面に該当することになる。
【００３１】
筺体１０の上面のうち、上述したＹ軸方向に沿った両側部のうちの右側部に対応する部分は、右上カバー１４によって覆われている。右上カバー１４は、断面視略Ｌ字状の形状を有する板状の部材にて構成されており、右側部の上面と、上述した凹部１９の右側に位置する内側面とを覆っている。
【００３２】
筺体１０の上面のうち、上述したＹ軸方向に沿った両側部のうちの左側部に対応する部分は、左上カバー１５によって覆われている。左上カバー１５は、断面視略Ｌ字状の形状を有する板状の部材にて構成されており、左側部の上面と、上述した凹部１９の左側に位置する内側面とを覆っている。
【００３３】
筺体１０の上面のうち、上述したＹ軸方向に沿った中央部に位置する凹部１９の底面は、放熱部としての放熱フィン２０によって覆われている。放熱フィン２０は、ＬＥＤ３１にて発生する熱を外部に対して放熱するためのものであり、筺体１０の上面に設けられた凹部１９の底面を覆う部分である平板状の基部２１と、当該基部２１の上面から上方に向けて突設された複数のフィン部２２とを有している（特に図１および図６参照）。
【００３４】
放熱フィン２０は、筺体１０の上面において外部に対して露出するように配設されており、より特定的には、複数のフィン部２２が、筺体１０の上面に設けられた凹部１９内に位置するように配設されている。
【００３５】
これら複数のフィン部２２は、互いに並行するようにＸ軸方向に沿って延びるように設けられており、これにより複数のフィン部２２の間には、複数の溝状の通気路２３が位置している（特に図６参照）。複数の通気路２３は、Ｘ軸方向に沿ってその両端が外部に対して開放された状態されている。
【００３６】
放熱フィン２０は、高熱伝導性の部材にて構成され、好適にはアルミニウムまたはその合金に代表される金属製の部材にて構成される。放熱フィン２０は、ダイキャスト品であってもよいし、押し出し成形品であってもよい。
【００３７】
一方、上述した前カバー１１、後カバー１２、下カバー１３、右上カバー１４および左上カバー１５の各々は、好ましくは高熱伝導性の部材にて構成され、好適には金属製または樹脂製の部材にて構成され、さらに好適には、アルミニウムまたはその合金等からなるダイキャスト品あるいは押し出し成形品にて構成される。また、透光カバー１６は、照明光が透過する光透過性の部材にて構成され、好適には樹脂製またはガラス製の部材にて構成される。
【００３８】
前カバー１１のうちの上述した上段部分７０に対応する部分は、筺体１０を天井面１００（図６参照）に固定するための固定部の一部を構成しており、特に固定部のうちの連結部１１ｂ（特に図１ないし図３参照）を構成している。連結部１１ｂは、前カバー１１の筺体１０の前面を構成する部分から上方に向けて立設されており、Ｙ軸方向に沿って上述した前カバー１１の上部の中央位置に設けられた切欠き部１１ａを挟み込むように一対設けられている。
【００３９】
また、後カバー１２のうちの上述した上段部分７０に対応する部分は、筺体１０を天井面１００に固定するための固定部の一部を構成しており、特に固定部のうちの連結部１２ｂ（特に図１、図３および図６参照）を構成している。連結部１２ｂは、後カバー１２の筺体１０の後面を構成する部分から上方に向けて立設されており、Ｙ軸方向に沿って上述した後カバー１２の上部の中央位置に設けられた切欠き部１２ａを挟み込むように一対設けられている。
【００４０】
すなわち、前カバー１１の連結部１１ｂおよび後カバー１２の連結部１２ｂは、筺体１０を天井面１００から距離をもって配置させるためのスペーサとなるものであり、取付部材６０Ａ，６０Ｂと筺体１０とを連結する部位である。これら連結部１１ｂ，１２ｂは、Ｚ軸方向に沿って見た場合における筺体１０の四隅およびその近傍に配置されている。
【００４１】
より詳細には、連結部１１ｂ，１２ｂの各々は、筺体１０の上述したＹ軸方向に沿った両側部に対応する部分（当該部分は、筺体１０の後述する駆動部５０Ａ，５０Ｂが収容された部分に該当する）のうちのＸ軸方向に沿った両端部からそれぞれ上方に向けて立設されている。なお、これら連結部１１ｂ，１２ｂの各々は、上述したように前カバー１１または後カバー１２の一部にて構成されているため、いずれも平板状の形状を有しており、その厚み方向がＸ軸方向と合致するように配置されることで筺体１０の前面および後面と同一平面上に位置するように連続して配設されている。
【００４２】
取付部材６０Ａ，６０Ｂは、筺体１０を天井面１００に固定するための固定部の一部を構成するものであり、特に固定部のうちの天井面１００に取付けられる取付部を構成している。取付部材６０Ａ，６０Ｂは、いずれもＸ軸方向に沿って延びる平板状の部材にて構成されており、その中央位置に天井面１００に固定するための取付用孔６１（特に図１参照）が設けられている。
【００４３】
取付部材６０Ａは、右上カバー１４の上方に位置しており、Ｚ軸方向に沿って見た場合に右上カバー１４の上面と略同一の大きさおよび形状を有している。また、取付部材６０Ｂは、左上カバー１５の上方に位置しており、Ｚ軸方向に沿って見た場合に左上カバー１５の上面と略同一の大きさおよび形状を有している。
【００４４】
取付部材６０Ａ，６０Ｂの各々は、そのＸ軸方向に沿った前端が前カバー１１の連結部１１ｂの上端に接続されており、そのＸ軸方向に沿った後端が後カバー１２の連結部１２ｂの上端に接続されている。
【００４５】
このように、取付部材６０Ａ，６０Ｂの各々が前カバー１１および後カバー１２に接続されることにより、上段部分７０の右側においては、取付部材６０Ａ、前カバー１１の連結部１１ｂ、後カバー１２の連結部１２ｂおよび右上カバー１４によって、Ｙ軸方向に沿って外部に対して開放された開放空間７２Ａ（図１および図６参照）が規定され、上段部分７０の左側においては、取付部材６０Ｂ、前カバー１１の連結部１１ｂ、後カバー１２の連結部１２ｂおよび左上カバー１５によって、Ｙ軸方向に沿って外部に対して開放された開放空間７２Ｂ（図１および図６参照）が規定されることになる。
【００４６】
なお、一対の取付部材が設置される向きは、上述したようにＸ軸方向に沿って延びる向きに限定されるものではない。たとえば、一方の取付部材が、前カバー１１のＹ軸方向に沿った両端に位置する連結部１１ｂの各々の上端を接続することでＹ軸方向に沿って延びるように設けられるとともに、他方の取付部材が、後カバー１２のＹ軸方向に沿った両端に位置する連結部１２ｂの各々の上端を接続することでＹ軸方向に沿って延びるように設けられてもよい。
【００４７】
また、取付部材を分割することなく、単一の取付部材にてこれを構成してもよい。その場合には、単一の取付部材に連結部１１ｂ，１２ｂの上端のそれぞれが接続されることになる。さらには、連結部１１ｂ，１２ｂの数に応じて取付部材を４分割して構成してもよい。その場合には、連結部１１ｂ，１２ｂの各々の上端に取付部材のそれぞれが対応づけて接続されることになる。
【００４８】
これにより、上述した上段部分７０に連結部１１ｂ，１２ｂおよび取付部材６０Ａ，６０Ｂからなる固定部が配設されることになり、このうちの取付部材６０Ａ，６０Ｂが取付用孔６１を用いて図示しない金具等によって天井面１００に沿うように固定されることにより、照明装置１が天井面１００に設置されることになる（図６参照）。
【００４９】
上述した筺体１０および固定部を構成する前カバー１１、後カバー１２、下カバー１３、右上カバー１４、左上カバー１５、放熱フィン２０、取付部材６０Ａ，６０Ｂは、相互にネジ留めされることで一体化されている。ここで、筺体１０の内部の空間は、外部に対して水密に構成されていることが必要であるため、これら部材間には、必要に応じて適宜の位置にパッキン等によるシール処理が施されている。
【００５０】
一例を挙げると、図３ないし図５に示すように、前カバー１１と、下カバー１３、右上カバー１４および左上カバー１５との間には、当該部分と略同一形状でかつ略同じ大きさの前パッキン４１が介装されており、後カバー１２と、下カバー１３、右上カバー１４および左上カバー１５との間には、当該部分と略同一形状でかつ略同じ大きさの後パッキン４２が介装されている。
【００５１】
このように構成することにより、筺体１０の内部の空間が外部から水密に封止されることになり、筺体１０の内部への湿気や雨水等に代表される水分の浸入が防止可能となり、屋外への設置が可能となる。
【００５２】
図１ないし図６に示すように、鳥類侵入防止手段９０は、照明装置１の上段部分７０に配置されており、光源ユニットの周側面に沿って架設された架設部材９５と、支持具９１Ａ，９１Ｂ，９２Ａ，９２Ｂとによって構成されている。架設部材９５は、たとえば線状部材にて構成されており、支持具９１Ａ，９１Ｂ，９２Ａ，９２Ｂは、たとえば略Ｌ字状の形状を有する板状部材にて構成されている。
【００５３】
支持具９１Ａは、前カバー１１の上段部分７０に対応する部分の右側（右側の連結部１１ｂ）にネジによって固定されている。支持具９１Ａは、前カバー１１に固定されることにより、前カバー１１の右側端部からＸ軸方向に沿って延在することで前カバー１１から露出する部分と、Ｙ軸方向に沿って前カバー１１の切欠き部１１ａ内に延在することで前カバー１１から露出する部分とを有している。
【００５４】
支持具９１Ｂは、前カバー１１の上段部分７０に対応する部分の左側（左側の連結部１１ｂ）にネジによって固定されている。支持具９１Ｂは、前カバー１１に固定されることにより、前カバー１１の左側端部からＸ軸方向に沿って延在することで前カバー１１から露出する部分と、Ｙ軸方向に沿って前カバー１１の切欠き部１１ａ内に延在することで前カバー１１から露出する部分とを有している。
【００５５】
支持具９２Ａは、後カバー１２の上段部分７０に対応する部分の右側（右側の連結部１２ｂ）にネジによって固定されている。支持具９２Ｂは、後カバー１２に固定されることにより、後カバー１２の右側端部からＸ軸方向に沿って延在することで後カバー１２から露出する部分と、Ｙ軸方向に沿って後カバー１２の切欠き部１２ａ内に延在することで後カバー１２から露出する部分とを有している。
【００５６】
支持具９２Ｂは、後カバー１２の上段部分７０に対応する部分の左側（左側の連結部１２ｂ）にネジによって固定されている。支持具９２Ｂは、後カバー１２に固定されることにより、後カバー１２の左側端部からＸ軸方向に沿って延在することで後カバー１２から露出する部分と、Ｙ軸方向に沿って後カバー１２の切欠き部１２ａ内に延在することで後カバー１２から露出する部分とを有している。
【００５７】
支持具９１Ａ，９１Ｂ，９２Ａ，９２Ｂには、架設部材９５を架設するための複数の架設用孔９３が設けられている。複数の架設用孔９３は、上述した支持具９１Ａ，９１Ｂ，９２Ａ，９２Ｂの前カバー１１または後カバー１２から露出した部分にそれぞれ設けられている。
【００５８】
架設用孔９３の各々は、たとえば、支持具９１Ａ，９１Ｂ，９２Ａ，９２Ｂにバーリング加工およびタップ加工を施すことによって形成されたバーリングタップにて構成されている。当該バーリングタップは、天井面１００に照明装置１が設置された状態において、開放空間７２Ａ側または開放空間７２Ｂ側に突出するように形成されている。
【００５９】
架設部材９５を構成する線状部材の両端には、架設用孔９３に対応するようにリング状の部分が形成されている。当該リング状の部分にネジ９４が挿通され、この状態においてネジ９４が架設用孔９３に螺合することにより、架設部材９５がネジ９４と支持具９１Ａ，９１Ｂ，９２Ａ，９２Ｂとによって挟み込まれて固定されることになる。
【００６０】
ここで、照明装置１の前部においては、支持具９１Ａ，９１Ｂを橋渡すようにＹ軸方向に沿って架設部材９５が取付けられることにより、切欠き部１１ａを跨ぐように架設部材９５が架設されている。また、照明装置１の後部においては、支持具９２Ａ，９２Ｂを橋渡すようにＹ軸方向に沿って架設部材９５が取付けられることにより、切欠き部１２ａを跨ぐように架設部材９５が架設されている。
【００６１】
また、照明装置１の右側部においては、支持具９１Ａ，９２Ａを橋渡すようにＸ軸方向に沿って架設部材９５が取付けられることにより、開放空間７２Ａを跨ぐように架設部材９５が架設されている。また、照明装置１の左側部において、支持具９１Ｂ，９２Ｂを橋渡すようにＸ軸方向に沿って架設部材９５が取付けられることにより、開放空間７２Ｂを跨ぐように架設部材９５が架設されている。
【００６２】
このように構成することにより、ネジ９４を取付けたり取外したりすることで架設部材９５を容易に支持具９１Ａ，９１Ｂ，９２Ａ，９２Ｂに着脱することができるため、照明装置１を天井面１００に取付けた後に架設部材９５を照明装置１に取付けることができるとともに、架設部材９５を照明装置１から取外すことで照明装置１を天井面１００から取外すことができる。これにより、照明装置１の天井面１００への取付けおよび取外しを容易に行なうことができる。
【００６３】
図６に示すように、筺体１０の内部の空間は、上述した放熱フィン２０の直下に位置する空間と、上述した右上カバー１４の上面の直下に位置する空間と、上述した左上カバー１５の上面の直下に位置する空間との３つの空間を含んでいる。
【００６４】
このうちの放熱フィン２０の直下に位置する空間は、上述した筺体１０の高さの低い部位に対応するものであり、当該空間は、ＬＥＤ３１を含む光出射部が収容された光出射部収容室１７に該当する。一方、このうちの右上カバー１４の上面の直下に位置する空間と左上カバー１５の上面の直下に位置する空間とは、上述した筺体１０の高さの高い部位に対応するものであり、ＬＥＤ３１を駆動するための駆動回路が設けられた駆動部５０Ａ，５０Ｂが収容された駆動部収容室１８Ａ，１８Ｂに該当する。
【００６５】
図４および図６に示すように、光出射部は、光源としての複数のＬＥＤ３１と、当該複数のＬＥＤ３１が実装された基板であるＬＥＤ実装基板３０とを含んでいる。ＬＥＤ実装基板３０は、たとえば筺体１０の形状に合わせて平面視略矩形状とされたプリント配線基板にて構成され、放熱フィン２０の基部２１の下面にたとえばネジ留め等によって固定されている。なお、上記複数のＬＥＤ３１は、ＬＥＤ実装基板３０の下面（すなわち、放熱フィン２０と対面しない方の主面）に実装されている。
【００６６】
ここで、本実施の形態においては、フィン部２２が設けられた部分に対応する部分の基部２１に、ネジが取付けられた構成とされている。このように構成することにより、放熱性の向上および軽量化のために、放熱フィン２０の基部２１を薄く構成した場合にも、ＬＥＤ実装基板３０の放熱フィン２０への組付強度を高く維持することが可能になる。
【００６７】
ＬＥＤ実装基板３０と放熱フィン２０の基部２１との間には、図示しない高熱伝導性のシートまたは／およびグリス等が介在されている。これにより、ＬＥＤ３１にて発生した熱は、効率的に放熱フィン２０に伝熱されることになり、ＬＥＤ３１の温度が一定温度以上の高温に達してしまうことが防止されている。
【００６８】
ＬＥＤ３１としては、低消費電力でかつ高寿命の高輝度ＬＥＤが使用される。ＬＥＤ３１は、ＬＥＤ実装基板３０の下面上にたとえばアレイ状または千鳥状等のレイアウトにて実装される。なお、ＬＥＤ３１としては、好適には白色発光ダイオードが使用される。
【００６９】
図６に示すように、ＬＥＤ実装基板３０の下面に対向する位置には、上述した透光カバー１６が配設されている。透光カバー１６は、複数のＬＥＤ３１から出射された光に適切に絞りをかけたりあるいは拡散させたりするためのレンズを含んでいてもよい。複数のＬＥＤ３１から出射された光は、当該透光カバー１６を介して下方に向けて放射状に照射されることになり、当該光が照明光２００となる。
【００７０】
駆動部５０Ａ，５０Ｂは、上述したように複数のＬＥＤ３１を駆動するための駆動回路を含んでおり、駆動回路としては、たとえば交流電力を直流電力に変換するコンバータ回路や、電圧を降圧させる降圧回路、電圧を平滑化させる平滑回路等、商用電源等の外部電源から供給される交流電力を複数のＬＥＤ３１を駆動するのに適した直流電力に変換、調整する各種の回路が含まれる。
【００７１】
なお、駆動部５０Ａ，５０Ｂは、筺体１０の内部に配設された図示しないハーネスによってＬＥＤ実装基板３０に結線されており、さらには当該ＬＥＤ実装基板３０に設けられた配線パターンを介して複数のＬＥＤ３１のそれぞれに電気的に接続されている。また、駆動部５０Ａ，５０Ｂは、筺体１０の内部に配設された図示しないハーネスを介して筺体１０の右上カバー１４の上面の所定位置に設けられた接続端子４０に結線されており、これにより当該駆動部５０Ａ，５０Ｂには、当該接続端子４０を介して外部から交流電力が供給される。
【００７２】
ここで、駆動部５０Ａ，５０Ｂは、放熱フィン２０のフィン部２２が延びる方向であるＸ軸方向に沿って延在した形状を有しており、放熱フィン２０のフィン部２２が並ぶ方向であるＹ軸方に沿って放熱フィン２０に隣り合う位置に配設されている。より具体的には、駆動部５０Ａ，５０Ｂは、それぞれ右上カバー１４の上面を規定する部分および左上カバー１５の上面を規定する部分に固定されている。特に、本実施の形態においては、一対の駆動部５０Ａ，５０Ｂが、Ｙ軸方向に沿って放熱フィン２０を挟み込むように、上述した駆動部収容室１８Ａ，１８Ｂにそれぞれ配設されており、これにより放熱フィン２０は、Ｙ軸方向に沿って一対の駆動部５０Ａ，５０Ｂの間に位置することになる。
【００７３】
図５および図６に示すように、上述した光出射部収容室１７と駆動部収容室１８Ａ，１８Ｂとは、筺体１０の下カバー１３から上方に向けて立設された隔壁部１３ａによって実質的に区画されている。当該隔壁部１３ａは、放熱フィン２０のフィン部２２が延びる方向であるＸ軸方向に沿って延びており、その上端が放熱フィン２０のＹ軸方向に沿った基部２１の両端に当接することで、これら光出射部収容室１７と駆動部収容室１８Ａ，１８Ｂとを区画している。
【００７４】
このように構成することにより、光出射部収容室１７と駆動部収容室１８Ａ，１８Ｂとが熱的に独立した状態に近づくことになるため、ＬＥＤ３１にて発生する熱と、駆動部５０Ａ，５０Ｂにて発生する熱との相互干渉が抑制できることになり、放熱性能を高めることが可能になる。
【００７５】
なお、本実施の形態においては、ＬＥＤ３１および駆動部５０Ａ，５０Ｂを単一の筺体１０に収容した構成とした場合を例示したが、上述した光出射部収容室１７と、駆動部収容室１８Ａ，１８Ｂとがそれぞれ別体の筺体の内部空間にて構成されるように筺体を分割して構成し、これら分割して構成した筺体を連結具等を用いて一体化させることとしてもよい。このように構成した場合にも、上述した熱の相互干渉が抑制できることになり、放熱性能を高めることができる。
【００７６】
以上により、本実施の形態における照明装置１が天井面１００に設置された状態においては、図６に示すように、天井面１００に寄り近い位置に照明装置１の占める空間のうちの上段部分７０が位置することになり、その下方に下段部分８０が位置することになる。
【００７７】
当該設置状態においては、光出射部収容室１７の直上に位置する放熱フィン２０が天井面１００から距離をもって配置されることになるため、これら放熱フィン２０と天井面１００との間の位置に、通気空間７１が構成されることになる。
【００７８】
天井面１００に設置された照明装置１の前部および後部には、前カバー１１の切欠き部１１ａおよび後カバー１２の切欠き部１２ａに対応する空間のうちの上段部分７０に対応した部分が位置することなり、当該部分と通気空間７１とが連通することになる。これにより、通気空間７１が、そのＸ軸方向に沿った両端において当該部分を介して外部に対して開放された状態となる。
【００７９】
一方、天井面１００に設置された照明装置１の右側部および左側部には、上述したように、右上カバー１４、左上カバー１５、取付部材６０Ａ，６０Ｂおよび連結部１１ｂ，１２ｂによって規定された開放空間７２Ａ，７２Ｂが位置することとなり、当該開放空間７２Ａ，７２Ｂと通気空間７１とが連通することになる。これにより、通気空間７１が、そのＹ軸方向に沿った両端において開放空間７２Ａ，７２Ｂを介して外部に対して開放された状態となる。
【００８０】
すなわち、これら切欠き部１１ａ，１２ａに対応する空間のうちの上段部分７０に対応した部分と開放空間７２Ａ，７２Ｂとが、光源ユニットと天井面１００との間に形成される空間を外部に対して開放する開放部として機能することになる。
【００８１】
なお、切欠き部１１ａ，１２ａに対応する空間のうちの上段部分７０に対応した部分のＹ軸方向に沿った両端の外側には、連結部１１ｂ，１２ｂが位置しており、開放空間７２Ａ，７２ＢのＸ軸方向に沿った両端の外側には、連結部１１ｂ，１２ｂが位置している。そのため、開放部は、これら連結部１１ｂ，１２ｂによって主として規定されることになる。
【００８２】
これにより、本実施の形態における照明装置１は、その点灯時において、切欠き部１１ａ，１２ａに対応する空間のうちの下段部分８０に対応した部分（すなわち、放熱フィン２０のフィン部２２によって規定される通気路２３のＸ軸方向における端部）から外気が導入され、これが通気路２３を通過する際に放熱フィン２０の熱を奪うことで加熱されて上昇気流となり、上記通気空間７１に流入して向きを変え、切欠き部１１ａ，１２ａに対応する空間のうちの上段部分７０に対応した部分および開放空間７２Ａ，７２Ｂを介して外部に導出されることになる。そのため、放熱フィン２０の熱が効果的に外部に放熱されることになる。
【００８３】
ここで、上述した開放部は、鳥類が飛来した場合の侵入経路となり得るが、本実施の形態における照明装置１にあっては、上述した鳥類侵入防止手段９０が設けられることにより、その侵入が防止可能とされている。すなわち、本実施の形態における照明装置１にあっては、開放部である切欠き部１１ａ，１２ａに対応する空間のうちの上段部分７０に対応した部分および開放空間７２Ａ，７２Ｂを跨ぐように架設部材９５が架設されているため、これによって鳥類の侵入が阻害されることになる。
【００８４】
したがって、以上において説明した本実施の形態における照明装置１とすることにより、天井面に設置された状態において効率的に放熱が行なえるとともに、鳥類の侵入を防止することで糞害の発生が未然に防止できることになる。
【００８５】
なお、本実施の形態においては、光源等から生じる熱を放熱する放熱部として放熱フィン２０を用いた場合を例示して説明したが、これに限定されず、ヒートシンク等の熱伝導性の高い放熱部材を用いてこれを構成することとしてもよい。
【００８６】
（実施の形態２）
図７は、本発明の実施の形態２における照明装置の正面図である。図７を参照して、本実施の形態における照明装置１Ａについて説明する。
【００８７】
図７に示すように、本実施の形態における照明装置１Ａは、実施の形態１における照明装置１と比較した場合に、構成の異なる鳥類侵入防止手段９０Ａを備えている点においてのみ相違している。具体的には、鳥類侵入防止手段９０Ａは、架設部材９５Ａと、支持具９１Ａ，９１Ｂ，９２Ａ，９２Ｂとによって構成されている。
【００８８】
架設部材９５Ａは、線状部材にて構成されており、その両端が、変形を許容する変形許容部としての弾性体９５ａによって構成されている。弾性体９５ａは、たとえばコイルバネにて構成されており、架設用孔９３側に位置する端部に架設用孔９３に対応するようにリング状の部分を有している。当該リング状の部分にネジ９４が挿通され、この状態においてネジ９４が架設用孔９３に螺合することにより、架設部材９５Ａがネジ９４と支持具９１Ａ，９１Ｂ，９２Ａ，９２Ｂとによって挟み込まれて固定されることになる。
【００８９】
このような構成においては、架設部材９５Ａに外力が負荷された場合に、弾性体９５ａが弾性変形することで図中において矢印に示す方向に架設部材９５Ａが移動することが許容されることになり、これに伴って架設部材９５Ａが弛緩した状態となる。一方、架設部材９５Ａに付加されている外力が取り除かれた場合には、弾性体９５ａが元の形状に復帰することになり、これに伴って架設部材９５Ａが図中において二点鎖線で示すように緊張した状態に戻ることになる。
【００９０】
これにより、本実施の形態における照明装置１Ａにおいては、上述した実施の形態１における照明装置１に比べて、より容易に天井面１００への取付けおよび取り外しが行なえるようになる。すなわち、本実施の形態における照明装置１Ａにあっては、架設部材９５Ａが架設された状態のまま、照明装置１Ａを天井面１００に取付けまたは取外しすることができる。
【００９１】
具体的には、照明装置１Ａの取付け時または取外し時において、切欠き部１１ａ，１２ａまたは開放空間７２Ａ，７２Ｂに手を差し入れることにより、手が架設部材９５Ａに接触することになって弾性体９５ａに外力が負荷される。これにより、弾性体９５ａが弾性変形することになり、架設部材９５Ａが弛緩した状態となる。
【００９２】
一方、切欠き部１１ａ，１２ａまたは開放空間７２Ａ，７２Ｂから手を引き抜いた場合には、弾性体９５ａに負荷されていた外力が取り除かれることになるため、架設部材９５Ａが緊張することで防鳥性が発揮される。
【００９３】
したがって、架設部材９５Ａを取外したり取付けたりする手間が省け、照明装置１Ａの取付けおよび取外しがより容易に行なえることになる。
【００９４】
なお、本実施の形態においては、架設部材９５Ａの両端が弾性体としてのコイルバネにて構成された場合を例示して説明したが、これに限定されず、弾性体がゴム等にて構成されていてもよく、また架設部材９５Ａの全ての部分が弾性体にて構成されていてもよい。
【００９５】
（実施の形態３）
図８は、本発明の実施の形態３における照明装置の正面図である。図８を参照して、本実施の形態における照明装置１Ｂについて説明する。
【００９６】
図８に示すように、本実施の形態における照明装置１Ｂは、実施の形態１における照明装置１と比較した場合に、構成の異なる鳥類侵入防止手段９０Ｂを備える点においてのみ相違している。具体的には、鳥類侵入防止手段９０Ｂは、架設部材９５Ｂと、支持具９１Ａ，９１Ｂ，９２Ａ，９２Ｂとによって構成されている。
【００９７】
架設部材９５Ｂは、線状部材で構成されており、その両端が、変形を許容する変形許容部としての形状記憶体９５ｂによって構成されている。形状記憶体９５ｂは、たとえばＮｉ−ＴｉやＣｕ−Ｚｎ−Ａｌ等の形状記憶合金からなるワイヤによって構成されており、架設用孔９３側に位置する端部に架設用孔９３に対応するようにリング状の部分を有している。当該リング状の部分にネジ９４が挿通され、この状態においてネジ９４が架設用孔９３に螺合することにより、架設部材９５がネジ９４と支持具９１Ａ，９１Ｂ，９２Ａ，９２Ｂとによって挟み込まれて固定されることになる。
【００９８】
ここで、形状記憶体９５ｂとしては、たとえば所定の変態点温度よりも高い温度にある場合にその延伸方向に沿って収縮し、所定の変態点温度よりも低い温度にある場合にその延伸方向に沿って伸長するものが用いられる。
【００９９】
したがって、照明装置１Ｂの点灯時においては、光源ユニット内の光源等から発生した熱が光源ユニットの周辺雰囲気を介して形状記憶体９５ｂに伝達されることにより、形状記憶体９５ｂの温度が上記変態点温度よりも高くなることで形状記憶体９５ｂが収縮する。また、照明装置１Ｂの消灯時においては、形状記憶体９５ｂの熱が光源ユニットの周辺雰囲気に放熱されることにより、形状記憶体９５ｂの温度が上記変態点温度よりも低くなることで形状記憶体９５ｂが伸長する。
【０１００】
このような構成においては、照明装置１Ｂの消灯時において、形状記憶体９５ｂが伸長することで架設部材９５Ｂが弛緩した状態となり、照明装置１Ｂの点灯時において、形状記憶体９５ｂが収縮することで架設部材９５Ｂが図中において二点鎖線で示すように緊張した状態に戻ることになる。
【０１０１】
これにより、本実施の形態における照明装置１Ｂにおいては、上述した実施の形態１における照明装置１に比べて、より容易に天井面１００への取付けおよび取り外しが行なえるようになる。すなわち、本実施の形態における照明装置１Ｂにあっては、架設部材９５Ｂが架設された状態のまま、照明装置１Ｂを天井面１００に取付けまたは取外しすることができる。
【０１０２】
具体的には、照明装置１Ｂが消灯している状態においては、架設部材９５Ｂが弛緩しているため、切欠き部１１ａ，１２ａまたは開放空間７２Ａ，７２Ｂに手を差し入れることができることとなり、容易に照明装置１Ｂの取付けおよび取外しを行なうことができる。
【０１０３】
一方、照明装置１Ｂの点灯時においては、架設部材９５Ｂが緊張しているため、防鳥性が発揮される。なお、形状記憶体９５ｂの弛緩具合を適切に設定すれば、消灯時においても相当程度の防鳥性が発揮されるようにすることができる。
【０１０４】
したがって、架設部材９５Ｂを取外したり取付けたりする手間が省け、照明装置１Ｂの取付けおよび取外しがより容易に行なえることになる。
【０１０５】
なお、本実施の形態においては、架設部材９５Ｂの両端が形状記憶体からなるワイヤにて構成された場合を例示して説明したが、これに限定されず、形状記憶体が板状部材やコイル状部材にて構成されていてもよく、その形状は適宜選択することができ、また、架設部材９５Ｂの全ての部分が形状記憶体にて構成されていてもよい。
【０１０６】
（実施の形態４）
図９は、本発明の実施の形態４における照明装置の正面図である。図９を参照して、本実施の形態における照明装置１Ｃについて説明する。
【０１０７】
図９に示すように本実施の形態における照明装置１Ｃは、実施の形態１における照明装置１と比較した場合に、構成の異なる鳥類侵入防止手段９０Ｃを備える点においてのみ相違している。具体的には、鳥類侵入防止手段９０Ｃは、架設部材９５Ｃと、支持具９１Ａ，９１Ｂ，９２Ａ，９２Ｂとによって構成されている。
【０１０８】
架設部材９５Ｃは、平面視した状態において略矩形形状を有し、Ｙ軸方向およびＺ軸方向に延在する複数の線状体を交差させて網目状に形成した平板状の網状部材で構成されており、その両端には、支持具９１Ａ，９１Ｂに対応する大きさの板状部分９５ｃが形成されている。
【０１０９】
板状部分９５ｃには、架設用孔９３に対応する位置に別途ネジ留め孔が設けられている。当該ネジ留め孔にネジ９４が挿通され、この状態においてネジ９４が架設用孔９３に螺合することにより、架設部材９５Ｃがネジ９４と支持具９１Ａ，９１Ｂ，９２Ａ，９２Ｂとによって挟み込まれて固定されることになる。
【０１１０】
このように、網状部材からなる架設部材９５Ｃを用いることにより、当該架設部材９５ＣがＹ軸方向に沿って延在する線状体だけでなくＺ軸方向に沿って延在する線状体をも有することになるため、鳥類の侵入経路が狭まった構成となる。したがって、上記構成を採用することにより、本実施の形態における照明装置１Ｃにおいては、上述した実施の形態１における照明装置１に比べて、より防鳥性に優れることになる。
【０１１１】
以上において示した実施の形態１ないし４においては、架設部材がいずれも支持具にネジ留め固定されている場合を例示して説明したが、これに限定されず、架設部材が支持具に係止することで固定されてもよいし、溶接等によって固定されてもよく、その固定方法は任意に選択することができる。
【０１１２】
また、架設部材としての線状部材の本数やその配置間隔等あるいは架設部材としての網状部材に含まれる各線状体の本数やその配置間隔等は、いずれも任意に設定することができ、飛来する可能性のある鳥類の種類や開放部の大きさ等に合わせてこれらを適宜設定すればよい。
【０１１３】
このように、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１１４】
１，１Ａ，１Ｂ，１Ｃ  照明装置、１０  筺体、１１  前カバー、１１ａ，１２ａ  切欠き部、１１ｂ，１２ｂ  連結部、１２  後カバー、１３  下カバー、１４  右上カバー、１５  左上カバー、１６  透光カバー、１７  光出射部収容室、１８Ａ，１８Ｂ  駆動部収容室、１９  凹部、２０  放熱フィン、２１  基部、２２  フィン部、２３  通気路、３０  実装基板、４０  接続端子、４１  前パッキン、４２  後パッキン、５０Ａ，５０Ｂ  駆動部、６０Ａ，６０Ｂ  取付部材、６１  取付用孔、７０  上段部分、７１  通気空間、７２Ａ，７２Ｂ  開放空間、８０  下段部分、９０，９０Ａ，９０Ｂ，９０Ｃ  鳥類侵入防止手段、９１Ａ，９１Ｂ，９２Ａ，９２Ｂ  支持具、９３  架設用孔、９４  ネジ、９５，９５Ａ，９５Ｂ，９５Ｃ  架設部材、９５ａ  弾性体、９５ｂ  形状記憶体、９５ｃ  板状部分、１００  天井面、２００  照明光。
【図１】
2014078329.tif 000003
【図２】
2014078329.tif 000004
【図３】
2014078329.tif 000005
【図４】
2014078329.tif 000006
【図５】
2014078329.tif 000007
【図６】
2014078329.tif 000008
【図７】
2014078329.tif 000009
【図８】
2014078329.tif 000010
【図９】
2014078329.tif 000011